(57)【要約】      （修正有）【課題】球状の弾丸をチャンバに装填するローディングノズルと、同弾丸に対して光を照射する光源とを備えた玩具銃において、同弾丸として蓄光弾を用いた際、たとえ蓄光弾がチャンバに装填された状態が長く続いた場合であっても同蓄光弾を十分に蓄光させた状態で銃口から発射させることが可能な玩具銃を提供する。【解決手段】インナーバレル１３は、その後端部の少なくとも一部２２が透光性を有する材料で構成され、この透光性材料で構成された、インナーバレルの前記少なくとも一部２２の外側に隣接させて、ローディングノズルによってチャンバ２１に装填された球状弾丸Ｂに向けて光を照射する光源３０が配置されている。【選択図】図１
0003212001.tif 000002
【実用新案登録請求の範囲】
【請求項１】
アウターバレル内に設けられた筒状のインナーバレルと、
前記インナーバレルの後端部に固定されたチャンバと、
前記インナーバレルの内径と略同一径を有する球状の弾丸を、前記インナーバレルの後端開口の位置に合わせて前記チャンバに装填するローディングノズルと、
を備え、
圧縮された気体を前記ローディングノズルを通して解放することによって前記球状弾丸を前記インナーバレルの先端から発射させる玩具銃において、
インナーバレルは、その後端部の少なくとも一部が透光性を有する材料で構成され、
この透光性材料で構成された、インナーバレルの前記少なくとも一部の外側に隣接させて、ローディングノズルによってチャンバに装填された球状弾丸に向けて光を照射する光源が配置されていることを特徴とする玩具銃。
【請求項２】
請求項１記載の玩具銃において、光源はＬＥＤである玩具銃。
【請求項３】
請求項１または２記載の玩具銃において、球状弾丸は蓄光弾である玩具銃。
【考案の詳細な説明】
【技術分野】
【０００１】  本考案は、蓄光性を有するＢＢ弾等の蓄光弾を装填及び発射することが可能な玩具銃に関し、より詳細には、装填された発射前の蓄光弾に対して光を照射する光源を備えた玩具銃に関する。
【背景技術】
【０００２】  ＢＢ弾等の球状の弾丸を銃口から発射する玩具銃は各種知られている。この種の玩具銃を夜間や暗所で使用する場合、発射した弾丸の弾道や着弾点を視認し易くするために、弾丸として蓄光弾がしばしば用いられる。蓄光弾を用いる玩具銃には、銃口から発射される前の段階で蓄光弾に光を照射して蓄光させる光源（光源装置）が設けられる。【０００３】  例えば特許文献１に記載の玩具銃では、銃身内を通過し銃口から発射される直前の蓄光弾をセンサーで検知し、この検知に応じて閃光照射装置（発光器）によって蓄光弾に閃光が照射される。このような構成では、閃光照射装置やセンサーに加え、これらを制御するコントローラーが必要となり装置が複雑且つコスト高になる。また銃身内を高速で移動する蓄光弾に短時間で十分に蓄光させる必要があるため、光量の大きい閃光照射装置が必要となる等の問題がある。【０００４】  以上のような問題を解決すべく、例えば特許文献２に記載の玩具銃では、弾倉本体内に照光装置を設け、弾倉内に装填された発射前の蓄光弾に対して光を照射する構成を採用している。この構成によれば、弾倉内で蓄光弾に光を照射するため、光度の弱い光源を用いても蓄光弾にある程度蓄光させることが可能となる。【０００５】  しかしながら、このような特許文献２に記載の構成では、既に銃身内にローディングされた発射直前の蓄光弾には照射装置の光は照射されない（届かない）ため、銃身内にローディングされてから実際に発射されるまでの時間が一定時間以上になると、発光の弱い蓄光弾が発射されるという問題があった。【０００６】  特に、アウターバレル内に設けられた筒状のインナーバレルの後端開口の位置に合わせて球状弾丸をチャンバに装填するローディングノズルを備えた玩具銃（例えばエアコッキングガン）では、弾丸がチャンバに装填された状態（弾丸発射待機状態／ロード状態）では該チャンバ後端はローディングノズル前端によって塞がれるため、弾倉本体内に設けた照光装置の光はチャンバ内の同弾丸には届かず、このため蓄光弾がチャンバに装填された状態が長く続くと同蓄光弾は十分な光量を保った状態で銃口から発射されない。特に、一発ごとにバネを手の力で引き縮めて発射するエアコッキングガンでは、弾丸がチャンバに装填された状態が長く続く場面が多く、このため従来では、蓄光弾を用いる場合には銃身前端に外付け固定するタイプのトレーサーユニット（閃光照射装置やセンサー等を内蔵したユニット）が一般に用いられている。
【先行技術文献】
【特許文献】
【０００７】
【特許文献１】特公平２−５３７２０
【特許文献２】特許第３９７７４０２号公報
【考案の概要】
【考案が解決しようとする課題】
【０００８】  本考案は、以上の問題意識に基づいてなされたものであり、球状の弾丸をチャンバに装填するローディングノズルと、同弾丸に対して光を照射する光源とを備えた玩具銃において、同弾丸として蓄光弾を用いた際、たとえ蓄光弾がチャンバに装填された状態が長く続いた場合であっても同蓄光弾を十分に蓄光させた状態で銃口から発射させることが可能な玩具銃を得ることを目的とする。
【課題を解決するための手段】
【０００９】  本考案の玩具銃は、アウターバレル内に設けられた筒状のインナーバレルと、前記インナーバレルの後端部に固定されたチャンバと、前記インナーバレルの内径と略同一径を有する球状の弾丸を、前記インナーバレルの後端開口の位置に合わせて前記チャンバに装填するローディングノズルと、を備え、圧縮された気体を前記ローディングノズルを通して解放することによって前記球状弾丸を前記インナーバレルの先端から発射させる玩具銃において、インナーバレルは、その後端部の少なくとも一部が透光性を有する材料で構成され、この透光性材料で構成された、インナーバレルの前記少なくとも一部の外側に隣接させて、ローディングノズルによってチャンバに装填された球状弾丸に向けて光を照射する光源が配置されていることを特徴としている。【００１０】  この本考案の玩具銃によれば、球状弾丸として蓄光弾（例えば蓄光ＢＢ弾）を用いた際、たとえ蓄光弾がチャンバに装填された状態が長く続いた場合であっても、光源から発せられた光を、透光性材料で構成された部分を通して同蓄光弾に常に入射させることができるので、同蓄光弾を簡単な構成によって十分に蓄光させた状態で銃口から発射させることができる。【００１１】  球状弾丸に向けて光を照射する光源として例えばＬＥＤを用いることができる。【００１２】  球状弾丸として蓄光弾を用いることで、本考案の玩具銃は、光源によって照射された光が蓄光された蓄光弾を発射することができるが、球状弾丸として蓄光性を有しない通常の球状弾丸（例えば非蓄光性のＢＢ弾）を用いることもできることは言うまでもない。
【考案の効果】
【００１３】  本考案によれば、球状弾丸として蓄光弾を用いた際、たとえ蓄光弾がチャンバに装填された状態が長く続いた場合であっても同蓄光弾を十分に蓄光させた状態で銃口から発射させることが可能な玩具銃を得ることができる。
【図面の簡単な説明】
【００１４】
【図１】  本考案を適用した実施形態の玩具銃の要部を示す断面図である。
【図２】  スライド、インナーバレル、シリンダ等を含む、同玩具銃の一部を分解して示す分解平面図である。
【図３】  図２に示すスライドを取り外した状態の同玩具銃を示す平面図である。
【考案を実施するための形態】
【００１５】  以下、本考案を適用した玩具銃の実施形態について、添付した図面を参照しながら説明する。本実施形態の玩具銃は、一発ごとにバネを手の力で引き縮めて発射するエアコッキングガン（エアコッキング銃）に本考案を適用したものである。
【００１６】  本実施形態のエアコッキングガンは、グリップを一体に備えたフレーム１１と、このフレームに対し、圧縮バネ（図示せず）の付勢力に抗して手動で後方にスライド移動可能に取り付けられたスライド１２とを有している。
【００１７】  フレーム１１とスライド１２の間には、フレーム１１内に固定されたアウターバレル（図示せず）内に挿入される中空のインナーバレル１３が設けられ、このインナーバレル１３の後端部は、フレーム１１に取り付けられるチャンバカバー１４に固定されている。インナーバレル１３は、例えばアルミ等の金属材料から構成されている。
【００１８】  チャンバカバー１４の前端下部には、前後方向に延び且つリコイルスプリング（図示せず）が嵌合されるリコイルスプリングガイドロッド１５の後端部が嵌入固定されている。
【００１９】  またフレーム１１とスライド１２の間には、チャンバカバー１４の後方に位置させて、シリンダ１６が設けられている。シリンダ１６は、フレーム１１に対して前後方向にスライド移動可能に支持されており、フレーム１１に対するスライド１２の前後方向への往復移動に連動して前後方向に移動する。シリンダ１６の前部には、インナーバレル１３と同軸に前後方向に延びるローディングノズル１７が固定されている。
【００２０】  図１に示すように、チャンバカバー１４内に位置するインナーバレル１３の後端にはインナーバレル１３と略同径の環状部材であるホップパッキン２０が同軸に取り付けられ、このホップパッキン２０が取り付けられたインナーバレル１３の後端部外周には、円筒状のチャンバ２１が嵌合されている。ホップパッキン２０は弾性を有する軟質の合成樹脂材（合成ゴム等）から構成され、チャンバ２１は硬質の合成樹脂材（ＡＢＳ樹脂等）から構成されている。
【００２１】  フレーム１１のグリップ内部には、内部にＢＢ弾等の球状弾丸を複数装填可能なマガジン（図示せず）がグリップ底部に形成されたマガジン挿入口（図示せず）から挿入される。このマガジンに装填された球状弾丸は、フレーム１１に対するスライド１２の前後方向への往復移動に連動して前後方向に移動するローディングノズル１７の移動によって、マガジン内の一つの球状弾丸がチャンバ２１内（ホップパッキン２０内）のロード位置に位置される。図１では、このロード位置に位置された一つの球状弾丸Ｂを破線で示している。
【００２２】  インナーバレル１３の後端底部（即ちインナーバレル１３の一部）には、ホップパッキン２０の直前に位置させて（即ち前記ロード位置の直前に位置させて）透明窓部２２が設けられている。透明窓部２２は、インナーバレル１３の後端底部に開口部１３ａを形成し、この開口部１３ａに対し、透光性を有する合成樹脂からなる透明部材を嵌め込み固定することによって設けられている。
【００２３】  さらにチャンバカバー１４内には、透明窓部２２の直下に位置させて（即ち、インナーバレル１３の一部である透明窓部２２の外面に隣接させて）ＬＥＤ（光源）３０が設けられている。ＬＥＤ３０は、該ＬＥＤ３０が発する光が透明窓部２２を通してロード位置にある球状弾丸Ｂに対して適切に入射するようにチャンバカバー１４に対して固定されている。
【００２４】  例えばＬＥＤ３０は、フレーム１１内に設けられた電池（図示せず）から給電され、フレーム１１に設けられた手動のオンオフスイッチ（図示せず）の操作により点灯／消灯させることができる。このオンオフスイッチの操作によって、蓄光弾を使用するときにのみＬＥＤ３０を点灯させ、それ以外の場合（本実施形態のエアコッキングガンの未使用時、及び非蓄光性の球状弾丸の使用時）にはＬＥＤ３０を消灯させることができる。
【００２５】  ＬＥＤ３０への給電用の電池としては、例えば薄型のボタン型電池を用いることができる。この薄型ボタン型電池の配置スペースとして、例えばグリップ内の空きスペースを利用することができる。
【００２６】  以上の構成を有する本実施形態によれば、スライド１２を操作によってチャンバ２１内（ホップパッキン２０内）のロード位置に装填された球状弾丸Ｂは、このロード位置に長時間保持されたとしても、ＬＥＤ３０が点灯されている限りＬＥＤ３０が発した光が照射され続けるため、球状弾丸として蓄光弾を用いた際、同蓄光弾を十分に蓄光させた状態で銃口から発射させることができる。
【００２７】  さらに、銃身前端に外付け固定するタイプのトレーサーユニット等を用いる場合に比し、発射直前の蓄光弾に対して光を照射する照射装置を簡単かつ軽量な構成で実現することができる。
【００２８】  なお本実施形態では、透明窓部２２の直下に位置させて（即ち、インナーバレル１３の一部である透明窓部２２の外面に隣接させて）ＬＥＤ３０を配置しているが、例えばＬＥＤ３０と透明窓部２２の間に、光ファーバやプリズム等のライトガイド（光伝送路）を設けても同様の効果が得られる。
【００２９】  また本実施形態では、金属材料からなるインナーバレル１３の後端部の一部を合成樹脂からなる透明窓部２２に置き換えた構成となっているが、本考案はこの構成のみに限定されない。たとえばインナーバレル全体を透明な合成樹脂で構成し、このインナーバレルの後端部の一部（透明窓部２２に相当する透明部分）以外の外周部分を非透光性材料（例えばアルミ箔や非透光性塗料）で覆う（コーティングする）構成にしても同様の効果が得られる。
【００３０】  また本実施形態は、本考案をエアコッキングガンに適用したものであるが、本考案を適用可能な玩具銃はエアコッキングガンのみに限定されない。即ち、インナーバレルの内径と略同一径を有する球状の弾丸を、インナーバレルの後端開口の位置に合わせてチャンバに装填するローディングノズルを備えた玩具銃であれば、他のタイプの玩具銃（例えばフレームに対してスライド（シリンダ）を電動で移動させる電動ガンや、ローディングノズルを通して球状弾丸にガス圧を与えるガスガンにも適用することができる。
【符号の説明】
【００３１】１１  フレーム
１２  スライド
１３  インナーバレル
１３ａ  開口部
１４  チャンバカバー
１５  ガイドロッド
１６  シリンダ
１７  ローディングノズル
２０  ホップパッキン
２１  チャンバ
２２  透明窓部
３０  ＬＥＤ（光源）
Ｂ  球状弾丸
【図１】
0003212001.tif 000003
【図２】
0003212001.tif 000004
【図３】
0003212001.tif 000005